(57)【特許請求の範囲】
【請求項１】
部屋のコーナー部を介して隣接する複数の内壁面にわたって設けられるカーテンボックスにおいて、
前記複数の内壁面の上端部と、
前記部屋の天井に垂設され、前記複数の内壁面の上端部のそれぞれと対向し、かつ前記複数の内壁面にわたって連続するようにして配置される複数の垂壁と、
前記複数の内壁面の上端部と前記複数の垂壁との間に位置するとともに、前記天井によって構成されるボックス天井部と、
前記ボックス天井部の全長にわたって取り付けられるとともに、カーテンが吊るされるカーテンレールと、を備えており、
前記部屋の上部には、上階まで吹き抜ける吹抜け部が、前記複数の垂壁のうち少なくとも一つの垂壁の上方に位置するようにして設けられており、
前記少なくとも一つの垂壁と、前記吹抜け部を形成する壁のうち少なくとも一つの壁とが一体的に形成されており、これら、少なくとも一つの垂壁の部屋中央側面と、吹抜け部を形成する壁のうち少なくとも一つの壁の表面とが面一となっていることを特徴とするカーテンボックス。
【請求項２】
請求項１に記載のカーテンボックスにおいて、
前記連続する複数の垂壁の両端部は、これら連続する複数の垂壁のうちの両端側に配置された垂壁のそれぞれが直交する壁面に対して固定されていることを特徴とするカーテンボックス。
【請求項３】
請求項１または２に記載のカーテンボックスにおいて、
前記連続する複数の垂壁の一端部の下方には、前記内壁面と対向して配置される遮蔽壁が、前記連続する複数の垂壁の一端部と一体的に、かつ部屋中央側面が面一となるように設けられており、
前記遮蔽壁と、この遮蔽壁と対向する内壁面との間は、カーテンが収納される収納部とされていることを特徴とするカーテンボックス。
【請求項４】
請求項１〜３のいずれか一項に記載のカーテンボックスにおいて、
前記垂壁の内壁面側面には照明装置が設けられていることを特徴とするカーテンボックス。
【発明の詳細な説明】
【技術分野】
【０００１】
本発明は、カーテンの上端部を遮蔽するカーテンボックスに関する。
【背景技術】
【０００２】
従来、窓の上方において天井の隅部に埋め込まれるようにして形成されたカーテンボックスについての技術が知られている（例えば、特許文献１参照）。
また、居間等の部屋の内壁面に、水平方向に沿って蛍光灯を設けるとともに、内壁面と平行して蛍光灯を覆う幕板を、内壁面と幕板との間に取付金具を介して設ける技術が知られている（例えば、特許文献２参照）。
特許文献２では、入隅コーナーを介して隣接する二つの内壁面にわたって幕板と取付金具とが取り付けられている。そして、窓上の内壁面に位置する取付金具の下側にカーテンレールが取り付けられており、カーテンボックスとしての機能を果たしている。
【先行技術文献】
【特許文献】
【０００３】
【特許文献１】特開２００１−１７８６１９号公報
【特許文献２】特開平１０−３２１０１９号公報
【発明の概要】
【発明が解決しようとする課題】
【０００４】
ところで、部屋のコーナー部を介して隣接する二つの内壁面のそれぞれに窓が設けられ、双方の窓の前にカーテンを吊るす場合があり、隣接する二つの内壁面の前方には、カーテンが常にある状態となっている。隣接する二つの内壁面の双方が視界に入る際は、双方のカーテンも視界に入ることになり、たとえタッセルでカーテンを束ねていたとしても、見る者に、すっきりしない印象を与えてしまう場合がある。このため、二つの内壁面に吊るされたカーテンを、一方の内壁面側にまとめられるようにしたいという要望があった。
【０００５】
そこで、特許文献２に記載のような取付金具や幕板等を利用して、隣接する二つの内壁面にわたって設けられるカーテンボックスを形成することが考えられる。ところが、これら取付金具および幕板は、部屋の内壁面から突出して設けられているため、これら取付金具と幕板からなるカーテンボックスの部分だけが内壁面および天井から浮いた存在となり、部屋との一体感が生じにくい場合がある。
このような問題を解決するために、特許文献１に記載のような埋め込み式のカーテンボックスを、隣接する二つの内壁面にわたって設けることが考えられる。しかし、埋め込み式のカーテンボックスを、隣接する二つの内壁面にわたって設けるとなると、例えば、天井の板状の仕上げ材にカーテンボックスを埋め込むための開口を形成したり、カーテンボックスや天井の仕上げ材を取り付けるためにカーテンボックス周囲の構造が複雑化したりする場合がある。そして、このように周囲の構造が複雑化すれば、施工性が低下する場合もあるため、カーテンボックスを、もっと容易に設けることが可能な技術の開発が望まれていた。
【０００６】
本発明の課題は、複数の内壁面の前方に吊るされたカーテンを一方の内壁面側にまとめることを可能とし、かつ、部屋との一体感を生じさせることができるとともに、従来に比して施工性の向上を図ることができるカーテンボックスを提供することを目的とする。
【課題を解決するための手段】
【０００７】
請求項１に記載の発明は、例えば図１〜図６に示すように、部屋１のコーナー部２を介して隣接する複数の内壁面３，３にわたって設けられるカーテンボックス１０において、
前記複数の内壁面３，３の上端部１１，１１と、
前記部屋１の天井４に垂設され、前記複数の内壁面３，３の上端部１１，１１のそれぞれと対向し、かつ前記複数の内壁面３，３にわたって連続するようにして配置される複数の垂壁１２，１２と、
前記複数の内壁面３，３の上端部１１，１１と前記複数の垂壁１２，１２との間に位置するとともに、前記天井４によって構成されるボックス天井部１３と、
前記ボックス天井部１３の全長にわたって取り付けられるとともに、カーテン１５，１５が吊るされるカーテンレール１４と、を備えており、
前記部屋１の上部には、上階まで吹き抜ける吹抜け部２０が、前記複数の垂壁１２，１２のうち少なくとも一つの垂壁１２の上方に位置するようにして設けられており、
前記少なくとも一つの垂壁１２と、前記吹抜け部２０を形成する壁２１…のうち少なくとも一つの壁２１とが一体的に形成されており、これら、少なくとも一つの垂壁１２の部屋中央側面と、吹抜け部２０を形成する壁２１…のうち少なくとも一つの壁２１の表面とが面一となっていることを特徴とする。
【０００８】
請求項１に記載の発明によれば、前記複数の内壁面３，３の上端部１１，１１と前記複数の垂壁１２，１２との間に位置する前記ボックス天井部１３の全長にわたって、前記カーテンレール１４が取り付けられているので、前記複数の内壁面３，３の前方に吊るされるカーテン１５，１５を、前記カーテンレール１４に沿って移動させるだけで、前記複数の内壁面３，３のうち一方の内壁面３側にまとめることができ、前記複数の内壁面３，３を見る者に、すっきりとした印象を与えることができる。
また、前記複数の垂壁１２，１２は前記天井４に垂設されているので、カーテンボックス１０を、前記複数の内壁面３，３と前記天井４との取り合い部分に位置するように設けることができる。これによって、カーテンボックス１０が、前記複数の内壁面３，３や天井４から浮いた存在とはならないので、カーテンボックス１０と前記部屋１との間に一体感を生じさせることができる。
さらに、前記複数の垂壁１２，１２を前記天井４に垂設し、前記ボックス天井部１３に前記カーテンレール１４を取り付けるだけでカーテンボックス１０を容易に形成できるので、従来に比して施工性の向上を図ることができる。
加えて、前記少なくとも一つの垂壁１２と、前記吹抜け部２０を形成する壁２１…のうち少なくとも一つの壁２１とが一体的に、かつ表面が面一となっているので、これら少なくとも一つの垂壁１２と、少なくとも一つの壁２１との連続性を高めることができ、カーテンボックス１０と、前記吹抜け部２０と、前記部屋１との一体感を高めることができる。
【０００９】
請求項２に記載の発明は、例えば図１，図３に示すように、請求項１に記載のカーテンボックス１０において、
前記連続する複数の垂壁１２，１２の両端部は、これら連続する複数の垂壁１２，１２のうちの両端側に配置された垂壁１２，１２のそれぞれが直交する壁面３（５）に対して固定されていることを特徴とする。
【００１０】
請求項２に記載の発明によれば、前記連続する複数の垂壁１２，１２の両端部が、これら連続する複数の垂壁１２，１２のうちの両端側に配置された垂壁１２，１２のそれぞれが直交する壁面３（５）に対して固定されているので、カーテンボックス１０を、一方の壁面３（５）から他方の壁面３（５）まで連続性を持ったものとして形成することができる。これによって、カーテンボックス１０が、前記複数の内壁面３，３や天井４から浮いた存在とはならず、前記部屋１との間に生じる一体感を高めることができる。
また、前記一方の壁面３（５）と他方の壁面３（５）によってカーテンボックス１０の両端部を閉塞できるので、このカーテンボックス１０の端部からカーテンレール１４が見えることを防ぐことができ、外観性を向上できる。
【００１１】
請求項３に記載の発明は、例えば図４に示すように、請求項１または２に記載のカーテンボックス１０において、
前記連続する複数の垂壁１２，１２の一端部の下方には、前記内壁面３と対向して配置される遮蔽壁１６が、前記連続する複数の垂壁１２，１２の一端部と一体的に、かつ部屋中央側面が面一となるように設けられており、
前記遮蔽壁１６と、この遮蔽壁１６と対向する内壁面３との間は、カーテン１５，１５が収納される収納部１７とされていることを特徴とする。
【００１２】
請求項３に記載の発明によれば、前記遮蔽壁１６と、この遮蔽壁１６と対向する内壁面３との間が前記収納部１７とされているので、前記カーテン１５，１５を、前記複数の内壁面３，３のうちの一方の内壁面３側にまとめた際に、このカーテン１５，１５を、前記収納部１７に収納しておくことができる。これによって、前記カーテン１５，１５をまとめた前記一方の内壁面３側も、見る者に、すっきりとした印象を与えることができる。
また、前記遮蔽壁１６は、前記連続する複数の垂壁１２，１２の一端部と一体的に、かつ部屋中央側面が面一となるように設けられているので、これら遮蔽壁１６と前記垂壁１２との連続性を高めることができ、カーテンボックス１０と、前記収納部１７と、前記部屋１との一体感を高めることができる。
【００１５】
請求項４に記載の発明は、例えば図６に示すように、請求項１〜３のいずれか一項に記載のカーテンボックス１０において、
前記垂壁１２の内壁面３側面には照明装置１８が設けられていることを特徴とする。
【００１６】
請求項４に記載の発明によれば、前記垂壁１２の内壁面３側面には照明装置１８が設けられているので、この照明装置１８を間接照明として利用できる。すなわち、前記垂壁１２を、カーテンボックス１０を形成する構成部材としてだけでなく、前記照明装置１８の設置場所としても利用できるので、機能性に優れる。
また、前記照明装置１８は、前記垂壁１２の内壁面３側面に設けられているので、前記部屋１の中央側から照明装置１８が見えにくくなり、外観性を向上できる。
【発明の効果】
【００１７】
本発明によれば、複数の内壁面の上端部と複数の垂壁との間に位置するボックス天井部の全長にわたって、カーテンレールが取り付けられているので、複数の内壁面の前方に吊るされるカーテンを、カーテンレールに沿って移動させるだけで、複数の内壁面のうち一方の内壁面側にまとめることができ、複数の内壁面を見る者に、すっきりとした印象を与えることができる。
また、複数の垂壁は天井に垂設されているので、カーテンボックスを、複数の内壁面と天井との取り合い部分に位置するように設けることができる。これによって、カーテンボックスが、複数の内壁面や天井から浮いた存在とはならないので、カーテンボックスと部屋との間に一体感を生じさせることができる。
さらに、複数の垂壁を天井に垂設し、ボックス天井部にカーテンレールを取り付けるだけでカーテンボックスを容易に形成できるので、従来に比して施工性の向上を図ることができる。
加えて、少なくとも一つの垂壁と、吹抜け部を形成する壁のうち少なくとも一つの壁とが一体的に、かつ表面が面一となっているので、これら少なくとも一つの垂壁と、少なくとも一つの壁との連続性を高めることができ、カーテンボックスと、前記吹抜け部と、前記部屋との一体感を高めることができる。
【図面の簡単な説明】
【００１８】
【図１】本発明に係るカーテンボックスが設けられる部屋を示す平面図である。
【図２】図１のカーテンボックス付近を示しており、（ａ）はＡ−Ａ断面図であり、（ｂ）はＢ−Ｂ断面図である。
【図３】図１の袖壁付近を示す拡大断面図である。
【図４】遮蔽壁および収納部付近を示しており、（ａ）は正面図であり、（ｂ）は断面図である。
【図５】図１の部屋の吹抜け部付近を示す図である。
【図６】垂壁の内壁面側面に照明装置を取り付けた状態を示す拡大断面図である。
【発明を実施するための形態】
【００１９】
以下、図面を参照して本発明の実施の形態について説明する。
図１において符号１は、部屋を示す。本実施の形態の部屋１は、リビングルームとしての機能と、例えばダイニングルームやキッチン等のように、その他の機能を有する部屋とを一室に併存させた状態となっている。また、図１においては、特に前記リビングルームが設けられた領域が示されている。また、前記部屋１の外部には、バルコニー１ａが設けられている。
なお、本実施の形態においては、前記部屋１を、リビングルームとしての機能と、その他の機能を有する部屋とを一室に併存させたものとしたが、これに限られるものではなく、リビングルームとしての機能のみを有する部屋としてもよい。また、前記部屋１はリビングルームとしての機能を有するが、これに限られず、例えば寝室や子供部屋等の機能を有するものでもよく、適宜変更可能である。
【００２０】
また、前記部屋１は、住宅等の建物の下階に設けられており、この部屋１が設けられた階の上方には、建物の上階が設けられている。なお、図示はしないが、前記部屋１が設けられた階よりも、さらに下方に階が設けられており、本実施の形態の建物は三階建てとなっている。前記部屋１が設けられた下階は、建物の二階である。
また、図５に示すように、前記部屋１の上部には、前記上階まで吹き抜ける吹抜け部２０が設けられている。さらに、前記部屋１には、この吹抜け部２０を利用して螺旋階段２２が設けられており、これら吹抜け部２０および螺旋階段２２によって、建物の下階と上階とが接続されている。
なお、前記吹抜け部２０は、図１に示すように、建物の下階から上階まで至る複数の壁２１…で囲まれることによって形成されている。また、前記吹抜け部２０は、本実施の形態においては平面視四角形状に形成されている。
【００２１】
さらに、前記部屋１は、図１に示すように、平面視において矩形状に形成されており、複数のコーナー部２，２を介して複数の内壁面３，３，３が隣接された状態となっている。なお、コーナー部２は入隅状に形成されている。
【００２２】
また、前記複数の内壁面３，３，３のうち、少なくとも二つの内壁面３，３には、それぞれ窓７，８が設けられている。
前記窓７は、図１および図２（ａ）に示すように、前記内壁面３の中程から上、ほぼ腰の高さから上にある腰窓であり、前記窓８は、図１および図５に示すように、外部に人が出入りできる掃き出し窓である。なお、前記窓８は、前記バルコニー１ａに面している。
なお、本実施の形態においては、前記窓７が設けられた内壁面３を一方の内壁面３と称し、前記窓８が設けられた内壁面３を他方の内壁面３と称する。
また、前記一方の内壁面３に対して、コーナー部２を介して隣接するとともに、前記他方の内壁面３と対向する内壁面３には、前記部屋１と他の部屋とを行き来するための出入口９が設けられている。
【００２３】
また、前記部屋１の天井４は、図２（ａ），（ｂ）に示すように、天井４の仕上げ材を野縁４ａに取り付け、この野縁４ａを、建物の構造材に取り付けられた吊木４ｂで吊り支えることによって形成されている。
なお、本実施の形態においては、天井４の仕上げ材の下面に、前記複数の内壁面３，３を形成する壁面材の上端部が当接した状態となっている。
【００２４】
また、前記部屋１には、図１および図３に示すように、前記他方の内壁面３から部屋１の中央側に突出する袖壁５が設けられている。この袖壁５は、前記部屋１の床から前記天井４までの高さに設定されている。
なお、前記部屋１および前記他方の内壁面３は、前記袖壁５によって大まかに区切られており、この袖壁５を境にして前記一方の内壁面３側が前記リビングルームの領域となっている。
また、前記袖壁５は、前記他方の内壁面３に対して交差するようにして設けられているため、これら袖壁５と他方の内壁面３との間には、入隅状に形成されたコーナー部２ａが設けられることになる。つまり、前記袖壁５の側面と前記他方の内壁面３とは、前記コーナー部２ａを介して隣接した状態となっている。
【００２５】
前記袖壁５は、上下に長尺な複数の縦芯材５ａ，５ａと、複数の横芯材５ｂ，５ｂとを縦横に組み立てることによって形成された矩形枠と、この矩形枠の両側面および袖壁突端面に取り付けられる石膏ボード等の複数の側板５ｃ，５ｃ，５ｃとを備える。
前記複数の縦芯材５ａ，５ａのうち一方は、前記他方の内壁面３に固定され、他方は、前記袖壁５の突端に配置されている。なお、これら複数の縦芯材５ａ，５ａは互いに平行に配置されている。また、前記複数の横芯材５ｂ，５ｂは、前記複数の縦芯材５ａ，５ａ間に架設されている。
なお、前記複数の側板５ｃ，５ｃ，５ｃの表面には壁紙等の表面化粧材（図示せず）が設けられているものとする。
【００２６】
また、前記袖壁５の突端側には、図１および図５に示すように、前記螺旋階段２２の脇に配置される手摺壁６が、前記袖壁５から更に突出するようにして一体的に形成されている。この手摺壁６は、いわゆる腰壁程度の高さに設定されている。
【００２７】
そして、前記部屋１には、前記コーナー部２を介して隣接する複数の内壁面３，３にわたって、カーテンボックス１０が設けられている。
前記カーテンボックス１０は、図１〜図６に示すように、前記複数の内壁面３，３の上端部１１，１１と、複数の垂壁１２，１２と、ボックス天井部１３と、カーテンレール１４と、を備える。
【００２８】
前記複数の内壁面３，３の上端部１１，１１は、前記複数の内壁面３，３の上端部のうち、特に、前記複数の垂壁１２，１２に対向する部位を指している。
また、上述のように、前記複数の内壁面３，３には窓７，８が形成されるため、これら窓７，８の上端部が、前記複数の垂壁１２，１２に対向する場合は、これら窓７，８の上端部も、前記複数の内壁面３，３の上端部１１，１１として含む場合もある。
なお、本実施の形態においては、前記窓７の上端部は、図２（ａ）に示すように、前記一方の内壁面３の上端部１１には含まれておらず、前記窓８の上端部は、図５に示すように、前記他方の内壁面３の上端部１１に含まれている。すなわち、図５においては、前記窓８の上窓枠が見えない状態となっている。
【００２９】
前記複数の垂壁１２，１２は、図２および図６に示すように、前記天井４に垂設されている。
また、これら複数の垂壁１２，１２は、図１および図２に示すように、前記複数の内壁面３，３の上端部１１，１１のそれぞれと対向している。すなわち、前記複数の垂壁１２，１２のうちの一方は、前記一方の内壁面３の上端部１１に対向するとともに、他方は、前記他方の内壁面３の上端部１１に対向している。
【００３０】
また、前記複数の垂壁１２，１２は、前記複数の内壁面３，３にわたって連続するようにして配置されている。
すなわち、前記一方の垂壁１２は、前記一方の内壁面３の幅方向に沿って長尺に形成されるとともに、前記他方の垂壁１２は、前記他方の内壁面３の幅方向に沿って長尺に形成されている。
さらに、前記連続する複数の垂壁１２，１２の両端部は、これら連続する複数の垂壁１２，１２のうちの両端側に配置された垂壁１２，１２のそれぞれが直交する壁面３，５に対して固定されている。つまり、前記連続する複数の垂壁１２，１２のうち、前記一方の垂壁１２の一端部は、前記出入口９が形成された内壁面３に対して固定されており、前記他方の垂壁１２の一端部は、前記袖壁５の側面に対して固定されている。
さらに、前記一方の垂壁１２の他端部と前記他方の垂壁１２の他端部とは、前記一方の内壁面３と前記他方の内壁面３との間に形成された部屋１のコーナー部２付近で交差するようにして接続されている。
【００３１】
なお、本実施の形態において、前記複数の垂壁１２，１２は、窓（前記窓７，８）が設けられた内壁面３が二面であるため、これに合わせて二つ用いられており、平面視において略Ｌ字状に連続している。窓が設けられる内壁面３が三面以上である場合には、これに対応した数の垂壁１２が、例えば平面視略コ字状に連続するように組み合わせられるなどして用いられる。
また、前記部屋１の前記コーナー部２は、入隅状に形成されたものとしているが、これに限られるものではなく、出隅状に形成されていてもよい。また、平面視において円弧状に形成されていてもよいものとする。したがって、前記複数の垂壁１２，１２も、本実施の形態のように入隅状のコーナー部２に対応するように連続させたり、図示はしないが、出隅状のコーナー部に対応するように連続させたり、平面視円弧状に形成された補助の垂壁を使用したりしてもよい。
【００３２】
そして、前記連続する複数の垂壁１２，１２の両端部のそれぞれが、前記出入口９が形成された内壁面３と、前記袖壁５の側面とに対して固定されているので、前記カーテンボックス１０を、前記出入口９が形成された内壁面３から、前記袖壁５の側面まで連続性を持ったものとして形成することができる。これによって、前記カーテンボックス１０が、前記複数の内壁面３，３や天井４から浮いた存在とはならず、前記部屋１との間に生じる一体感を高めることができる。
また、前記出入口９が形成された内壁面３と、前記袖壁５の側面とによって前記カーテンボックス１０の両端部を閉塞できるので、このカーテンボックス１０の端部からボックス内部のカーテンレール１４が見えることを防ぐことができ、外観性を向上できる。
【００３３】
前記垂壁１２は、図２，図３，図６に示すように、複数の縦芯材１２ａ…と、前記内壁面３の幅方向に沿って長尺な複数の横芯材１２ｂ…とを縦横に組み立てることによって形成された矩形枠と、この矩形枠の両側面に取り付けられる合板等の複数の側板１２ｃ…と、前記矩形枠の底面に取り付けられる複数の底板１２ｄ…とを備える。
前記連続する複数の垂壁１２，１２のうち、前記一方の垂壁１２の一端部に位置する縦芯材１２ａは、前記出入口９が形成された内壁面３に対して固定されており、前記他方の垂壁１２の一端部に位置する縦芯材１２ａは、前記袖壁５の側面に対して固定されている。また、前記コーナー部２付近で交差する前記一方の垂壁１２の他端部と前記他方の垂壁１２の他端部に位置する縦芯材１２ａ，１２ａ同士は、図１に示すように、互いに固定されている。なお、これら複数の縦芯材１２ａ…は互いに平行に配置されている。
また、前記複数の横芯材１２ｂ…は、前記天井４に対して固定されている。なお、これら複数の横芯材１２ｂ…は互いに平行に配置されるとともに、前記複数の縦芯材１２ａ…間に架設されている。
なお、前記複数の側板１２ｃ…および前記複数の底板１２ｄ…の表面には壁紙等の表面化粧材（図示せず）が設けられているものとする。
【００３４】
また、図１および図５に示すように、前記複数の垂壁１２，１２のうち、前記他方の垂壁１２の上方に位置するようにして、前記吹抜け部２０が設けられている。
そして、前記他方の垂壁１２と、前記吹抜け部２０を形成する壁２１…のうち少なくとも一つの壁２１とが一体的に形成されており、これら他方の垂壁１２の部屋中央側面と、吹抜け部２０を形成する壁２１の表面とが面一となっている。すなわち、前記他方の垂壁１２と前記壁２１とが上下方向に隣接して配置されている。
これによって、前記他方の垂壁１２と、前記壁２１との連続性を高めることができるので、前記カーテンボックス１０と、前記吹抜け部２０と、前記部屋１との一体感を高めることができる。
なお、前記吹抜け部２０は、本実施の形態では前記他方の垂壁１２の上方に位置するものとしたが、これに限られるものではなく、前記一方の垂壁１２の上方に位置する場合も、前記コーナー部２付近において前記一方の垂壁１２と前記他方の垂壁１２の双方の上方に位置する場合もある。
【００３５】
また、前記他方の垂壁１２と前記壁２１との二つだけではなく、図３に示すように、前記袖壁５の突端面も、これら他方の垂壁１２の部屋中央側面と壁２１の表面と面一となっている。なお、前記袖壁５の突端面の下部には前記手摺壁６が設けられているため、ここでは、前記袖壁５の突端面の上部が、前記他方の垂壁１２の部屋中央側面および前記壁２１の表面と面一となっているものとする。
また、前記他方の垂壁１２と、前記壁２１と、前記袖壁５の突端面との間には、継目が見えないように表面化粧がなされており、前記部屋１の中央から前記他方の垂壁１２と前記壁２１と前記袖壁５とを見た際に、恰も一つの壁が連続して設けられているかのような印象を与えている。
【００３６】
前記ボックス天井部１３は、図１，図２，図６に示すように、前記複数の内壁面３，３の上端部１１，１１と前記複数の垂壁１２，１２との間に位置するとともに、前記天井４によって構成されている。
すなわち、このボックス天井部１３は、前記複数の内壁面３，３の上端部１１，１１と前記複数の垂壁１２，１２の延在方向に沿って形成されており、本実施の形態においては平面視略Ｌ字状に形成されることになる。さらに、このボックス天井部１３は、前記複数の垂壁１２，１２によって前記天井４の表面を区切ることによって形成されている。
【００３７】
前記カーテンレール１４は、図１および図２に示すように、前記ボックス天井部１３の全長にわたって取り付けられるとともに、カーテン１５，１５が吊るされている。本実施の形態のカーテンレール１４は、平面視において略Ｌ字状となるように形成されている。
また、前記カーテンレール１４は、前記カーテン１５，１５を吊るすとともに、このカーテンレール１４に沿って走行可能なランナーを備える。
【００３８】
なお、前記カーテンレール１４のうち、前記一方の内壁面３と前記他方の内壁面３との間に形成された部屋１のコーナー部２に位置する部位は、平面視において円弧状に形成されている。これによって、前記ランナーを、前記カーテンレール１４に沿って走行させやすくなる。
また、前記カーテン１５，１５は、図２（ａ），（ｂ）に示すように、前記窓７が設けられた前記一方の内壁面３の前方と、前記窓８が設けられた前記他方の内壁面３の前方にある状態となっている。
【００３９】
以上のようにして前記カーテンボックス１０が構成されている。
一方、前記連続する複数の垂壁１２，１２の一端部の下方には、図４（ａ），（ｂ）に示すように、前記内壁面３と対向して配置される遮蔽壁１６が、前記連続する複数の垂壁１２，１２の一端部と一体的に、かつ部屋中央側面が面一となるように設けられている。すなわち、前記遮蔽壁１６は、前記複数の内壁面３，３のうち前記一方の内壁面３に対向して配置されており、前記連続する複数の垂壁１２，１２のうち前記一方の垂壁１２の一端部と上下方向に隣接して配置されている。また、前記遮蔽壁１６は、前記部屋１の床から前記一方の垂壁１２の下面までの高さに設定されている。
そして、前記遮蔽壁１６と、この遮蔽壁１６と対向する内壁面３との間は、前記カーテン１５，１５が収納される収納部１７とされている。この収納部１７は、前記部屋１の床から前記天井４までの高さに設定されている。
【００４０】
前記遮蔽壁１６は、上下に長尺な複数の縦芯材１６ａ，１６ａと、複数の横芯材１６ｂ，１６ｂとを縦横に組み立てることによって形成された矩形枠と、この矩形枠の部屋中央側面と内壁面側面と幅方向側端面に取り付けられる合板等の複数の側板１６ｃ，１６ｃ，１６ｃとを備える。
前記複数の縦芯材１６ａ，１６ａのうち一方は、前記出入口９が形成された内壁面３に固定されている。なお、前記複数の縦芯材１６ａ，１６ａは互いに平行に配置されている。また、前記複数の横芯材１６ｂ，１６ｂは、前記複数の縦芯材１６ａ，１６ａ間に架設されている。
なお、前記複数の側板１６ｃ，１６ｃ，１６ｃの表面には壁紙等の表面化粧材（図示せず）が設けられているものとする。
【００４１】
そして、このように前記遮蔽壁１６と、この遮蔽壁１６と対向する前記一方の内壁面３との間が前記収納部１７とされているので、前記カーテン１５，１５を、前記複数の内壁面３，３のうちの一方の内壁面３側にまとめた際に、このカーテン１５，１５を、前記収納部１７に収納しておくことができる。これによって、前記カーテン１５，１５をまとめた前記一方の内壁面３側も、見る者に、すっきりとした印象を与えることができる。
また、前記遮蔽壁１６は、前記一方の垂壁１２の一端部と一体的に、かつ部屋中央側面が面一となるように設けられているので、これら遮蔽壁１６と前記一方の垂壁１２との連続性を高めることができ、前記カーテンボックス１０と、前記収納部１７と、前記部屋１との一体感を高めることができる。
【００４２】
なお、前記垂壁１２の内壁面３側面には、図６に示すように、照明装置１８を設けるようにしてもよい。前記照明装置１８を取り付ける際は、前記複数の垂壁１２，１２のうち、いずれの垂壁１２に取り付けてもよく、特に限定されるものではない。ただし、前記カーテンレール１４やカーテン１５，１５に対して干渉しないように取り付けることが望ましい。
前記照明装置１８は、この照明装置１８を固定するための固定部１８ａを備えており、この固定部１８ａを、前記垂壁１２の内壁面３側面に当接させつつ、前記天井４に対して固定することによって、前記垂壁１２の内壁面３側面に設けられている。
なお、前記天井４の仕上げ材の上面には予め下地合板４ｃが設けられており、前記固定部１８ａは、ネジ１８ａ等によって前記下地合板４ｃに固定されている。
【００４３】
そして、このように前記垂壁１２の内壁面３側面には照明装置１８が設けられているので、この照明装置１８を間接照明として利用できる。すなわち、前記垂壁１２を、カーテンボックス１０を形成する構成部材としてだけでなく、前記照明装置１８の設置場所としても利用できるので、機能性に優れる。
また、前記照明装置１８は、前記垂壁１２の内壁面３側面に設けられているので、前記部屋１の中央側から照明装置１８が見えにくくなり、外観性を向上できる。
【００４４】
次に、前記カーテンボックス１０の施工方法について説明する。
まず、前記部屋１を施工する。本実施の形態においては、前記袖壁５の施工も、前記カーテンボックス１０の施工よりも先に行う。
そして、前記カーテンボックス１０の施工を始める際は、まず、前記垂壁１２を構成する前記複数の縦芯材１２ａ…と前記複数の横芯材１２ｂ…とを縦横に組み立てることによって前記矩形枠を形成する。
なお、このような矩形枠を形成する作業は、予め工場等で行ってもよいものとする。
【００４５】
続いて、前記矩形枠を、前記複数の垂壁１２，１２が固定される所定の位置に固定する。すなわち、前記一方の垂壁１２の一端部に位置する縦芯材１２ａを、前記出入口９が形成された内壁面３に固定するとともに、前記他方の垂壁１２の一端部に位置する前記袖壁５の側面に固定する。
また、上方に位置する横芯材１２ｂを前記天井４に固定する。
さらに、前記一方の垂壁１２の他端部に位置する縦芯材１２ａと、前記他方の垂壁１２の他端部に位置する縦芯材１２ａとを接続する。
【００４６】
その後、前記複数の側板１２ｃ…と前記複数の底板１２ｄ…とを、前記矩形枠に対してそれぞれ取り付けて、前記連続する複数の垂壁１２，１２を、前記部屋１の天井４に垂設する。
なお、前記ボックス天井部１３は、前記複数の垂壁１２，１２を前記天井４に垂設した時点で形成される。
【００４７】
続いて、前記カーテンレール１４を、前記ボックス天井部１３の全長にわたって取り付け、さらに、このカーテンレール１４に前記カーテン１５，１５を吊るす。
以上のようにして前記カーテンボックス１０を前記部屋１に設けることができる。このようなカーテンボックス１０の施工方法によれば、前記複数の垂壁１２，１２を前記天井４に垂設し、前記ボックス天井部１３にカーテンレール１４を取り付けるだけで前記カーテンボックス１０を容易に形成できることになる。
また、前記カーテンボックス１０は、前記部屋１の施工後でも形成できることになる。すなわち、後付けが可能となり、例えば前記部屋１のリフォーム時にも、前記カーテンボックス１０を取り付けることができる。
前記カーテンボックス１０を形成した後は、前記遮蔽壁１６や前記照明装置１８を適宜設置して、前記カーテンボックス１０の施工を完了させる。
【００４８】
なお、上述のようなカーテンボックス１０の施工方法において、各芯材１２ａ，１２ｂや側板１２ｃ、底板１２ｄ等の固定は、図示はしないが、例えばビス等の止着材や接着剤によって行われているものとする。
また、前記矩形枠に対して、予め工場等で、前記側板１２ｃや底板１２ｄを極力取り付けておき、現場での作業を低減させるようにしてもよい。
【００４９】
本実施の形態によれば、前記複数の内壁面３，３の上端部１１，１１と前記複数の垂壁１２，１２との間に位置する前記ボックス天井部１３の全長にわたって、前記カーテンレール１４が取り付けられているので、前記複数の内壁面３，３の前方に吊るされるカーテン１５，１５を、前記カーテンレール１４に沿って移動させるだけで、前記複数の内壁面３，３のうち一方の内壁面３側にまとめることができ、前記複数の内壁面３，３を見る者に、すっきりとした印象を与えることができる。
また、前記複数の垂壁１２，１２は前記天井４に垂設されているので、カーテンボックス１０を、前記複数の内壁面３，３と前記天井４との取り合い部分に位置するように設けることができる。これによって、カーテンボックス１０が、前記複数の内壁面３，３や天井４から浮いた存在とはならないので、カーテンボックス１０と前記部屋１との間に一体感を生じさせることができる。
さらに、前記複数の垂壁１２，１２を前記天井４に垂設し、前記ボックス天井部１３に前記カーテンレール１４を取り付けるだけでカーテンボックス１０を容易に形成できるので、従来に比して施工性の向上を図ることができる。
【符号の説明】
【００５０】
１  部屋
２  コーナー部
２ａ  コーナー部
３  内壁面
４  天井
５  袖壁
１０  カーテンボックス
１１  上端部
１２  垂壁
１３  ボックス天井部
１４  カーテンレール
１５  カーテン
【図１】
0005746064.tif 000002
【図２】
0005746064.tif 000003
【図３】
0005746064.tif 000004
【図４】
0005746064.tif 000005
【図５】
0005746064.tif 000006
【図６】
0005746064.tif 000007